(57)【要約】【課題】埃等の内部への侵入を抑制しつつ、外観を良好とすることができる設備装置を提供する。【解決手段】設備装置１００は、第一カバー２と、第一カバー２の一方側に配置された第二カバー１と、第一カバー２と第二カバー１との間に形成された収容空間に収容されたセンサーユニット６０を有する機能部と、機能部の一方側と反対側の他方側に配置され、センサーユニット６０と対応する位置にセンサー領域Ｙが形成された機能パネル４と、を備え、機能パネル４は、第一カバー２の他方側の面２１ｆに沿う少なくとも一方向に沿って配置され、機能パネル４の一方向の少なくとも一端部４ｃは、正面視で、第一カバー２の一方向の一端部３２ｃと重なって配置されていることを特徴とする。【選択図】図１
2019052494.tif 000002
【特許請求の範囲】
【請求項１】
第一カバーと、
該第一カバーの一方側に配置された第二カバーと、
前記第一カバーと前記第二カバーとの間に形成された収容空間に収容されたセンサーユニットを有する機能部と、
該機能部の前記一方側と反対側の他方側に配置され、前記センサーユニットと対応する位置にセンサー領域が形成された機能パネルと、を備え、
該機能パネルは、前記第一カバーの前記他方側の面に沿う少なくとも一方向に沿って配置され、
前記機能パネルの前記一方向の少なくとも一端部は、正面視で、前記第一カバーの前記一方向の一端部と重なって配置されていることを特徴とする設備装置。
【請求項２】
前記機能パネルは、前記一方側の面が着色印刷されている請求項１に記載の設備装置。
【請求項３】
前記機能部は、スピーカー本体を有し、
前記機能パネルには、前記スピーカー本体に対応する位置に、前記一方側と前記他方側とを結ぶ方向に貫通する複数のスピーカー孔が形成されている請求項１または２に記載の設備装置。
【請求項４】
前記第一カバーの前記他方側の面から前記一方側に向かって凹み、前記一方向に延びる嵌合凹部が形成され、
前記機能パネルは、前記嵌合凹部に嵌合されている請求項１から３のいずれか一項に記載の設備装置。
【発明の詳細な説明】
【技術分野】
【０００１】
本発明は、設備装置に関するものである。
【背景技術】
【０００２】
従来から、トイレには、排泄時の行為音が外部に聞こえてしまうことを防止するために、水洗トイレの流水音や川のせせらぎの音を発生させる擬音装置が設置されている。この擬音装置として、センサー、停止スイッチ及びスピーカー本体等の機能部品がケース内に収容され、ケースの表側（利用者側）にフロントカバーが設けられたものが提案されている。フロントカバーには、センサー及び停止スイッチに対応する位置に貫通孔がそれぞれ形成されていて、フロントカバーがケースに取り付けられた状態で、対応する貫通孔からセンサー及び停止スイッチが露出している。また、フロントカバーには、スピーカー本体と対応する位置に、複数の貫通孔であるスピーカー孔が形成されている（下記の特許文献１参照）。
【先行技術文献】
【特許文献】
【０００３】
【特許文献１】特開２０１２−９０９７１号公報
【発明の概要】
【発明が解決しようとする課題】
【０００４】
しかしながら、上記の擬音装置には、センサー及び停止スイッチを露出させる貫通孔が形成されているため、貫通孔の縁（全周）とセンサー及び停止スイッチとの間の隙間から埃や水分等がケース内の機能部品側に入ってしまうという問題点がある。また、上記の擬音装置では、フロントカバーに形成された２箇所の貫通孔からそれぞれセンサー及び停止スイッチが露出しているため、これらのセンサー及び停止スイッチの色調やデザイン等が異なれば統一感がなく、意匠性が劣るという問題点もある。
【０００５】
そこで、本発明は、上記事情に鑑みてなされたものであり、埃等の内部への侵入を抑制しつつ、外観を良好とすることができる設備装置を提供する。
【課題を解決するための手段】
【０００６】
上記目的を達成するために、本発明は以下の手段を採用している。
すなわち、本発明に係る設備装置は、第一カバーと、該第一カバーの一方側に配置された第二カバーと、前記第一カバーと前記第二カバーとの間に形成された収容空間に収容されたセンサーユニットを有する機能部と、該機能部の前記一方側と反対側の他方側に配置され、前記センサーユニットと対応する位置にセンサー領域が形成された機能パネルと、を備え、該機能パネルは、前記第一カバーの前記他方側の面に沿う少なくとも一方向に沿って配置され、前記機能パネルの前記一方向の少なくとも一端部は、正面視で、前記第一カバーの前記一方向の一端部と重なって配置されていることを特徴とする。
【０００７】
このように構成された設備装置では、機能パネルは第一カバーの他方側の面に沿う少なくとも一方向に沿って配置され、機能パネルの一方向の少なくとも一端部は、正面視で、第一カバーの一方向の一端部と重なって配置されている。つまり、正面視で、機能パネルの少なくとも一端部よりも外側には、第一カバーが配置されない。よって、機能パネルの一端部と第一カバーとの間には一方向に隙間が形成されてないため、一端部側から埃等が機能パネルと第一カバーとの間の隙間から機能部が収容された収容空間に侵入することがなく、埃等の内部への侵入を抑制することができる。
また、機能パネルは正面視で第一カバーの一端部まで延びているため、機能パネルは一方向に連続性があり、外観を良好とすることができる。
【０００８】
また、本発明に係る設備装置では、前記機能パネルは、前記一方側の面が着色印刷されていることが好ましい。
【０００９】
このように構成された設備装置では、機能パネルは前記一方側の面が着色印刷されているため、他方側の面には印刷面が露出せず高級感を呈することができるとともに、印刷面が剥がれることが抑制される。
【００１０】
また、本発明に係る設備装置では、前記機能部は、スピーカー本体を有し、前記機能パネルには、前記スピーカー本体に対応する位置に、前記一方側と前記他方側とを結ぶ方向に貫通する複数のスピーカー孔が形成されていてもよい。
【００１１】
このように構成された設備装置では、機能パネルにおけるスピーカー本体に対応する位置に、一方側と他方側とを結ぶ方向に貫通する複数のスピーカー孔が形成されている。よって、第一カバーにスピーカー孔を形成する必要がなく、第一カバーの加工が容易である。
【００１２】
また、本発明に係る設備装置は、前記第一カバーの前記他方側の面から一方側に向かって凹み、前記一方向に延びる嵌合凹部が形成され、前記機能パネルは、前記嵌合凹部に嵌合されていてもよい。
【００１３】
このように構成された設備装置では、機能パネルは、第一カバーの他方側の面から一方側に向かって凹み、一方向に延びる嵌合凹部に嵌合されている。よって、機能パネルの外周から機能部が収容された収容空間に連通される隙間がないため、機能部が収容された収容空間に埃等が侵入することをより一層抑制できる。
【発明の効果】
【００１４】
本発明に係る設備装置によれば、埃等の内部への侵入を抑制しつつ、外観を良好とすることができる。
【図面の簡単な説明】
【００１５】
【図１】本発明の一実施形態に係る擬音装置を斜め前方から見た斜視図である。
【図２】本発明の一実施形態に係る擬音装置の分解斜視図であり、斜め前方から見た図である。
【図３】本発明の一実施形態に係る擬音装置の分解斜視図であり、斜め後方から見た図である。
【図４】図１のＡ−Ａ線断面図である。
【図５】本発明の一実施形態の変形例に係る洗浄スイッチ装置を斜め前方から見た斜視図である。
【図６】本発明の一実施形態の変形例に係る洗浄スイッチ装置を上方から見た図である。
【図７】本発明の一実施形態の変形例に係る洗浄スイッチ装置の上部パネルを取り外して上方から見た図である。
【発明を実施するための形態】
【００１６】
以下、本発明の一実施形態に係る設備装置の一例として、擬音装置を図１から図４に基づいて説明する。
図１は、本発明の一実施形態に係る擬音装置を前方から見た斜視図である。
図１に示す擬音装置１００は、擬音を発生するための装置である。擬音装置１００は、トイレの壁（不図示）等にブラケットＢ（図２参照）を介して取り付けられている。
なお、以下の説明において、擬音装置１００に対向する利用者側を前方と称し、利用者と反対側（壁側）を後方と称し、これら前方と後方とを結ぶ方向を前後方向と称する。また、利用者から見て左側を左側と称し、利用者から見て右側を右側と称し、これら左側と右側とを結ぶ方向を左右方向と称する。
【００１７】
図２は、擬音装置１００の分解斜視図であり、斜め前方から見た図である。図３は、擬音装置１００の分解斜視図であり、斜め後方から見た図である。なお、図２及び図３には、擬音装置１００を壁に取り付けるためのブラケットＢも合わせて示している。
図２及び図３に示すように、擬音装置１００は、ロアケース（第二カバー）１と、アッパーケース（第一カバー）２と、フロントパネル（機能パネル）４と、を有している。
【００１８】
図２に示すように、ロアケース１は、後部ケース本体１０を有している。後部ケース本体１０は、正面視（前方から見て）矩形状に形成され、板厚方向を前後方向に向けた後板部１１を有している。
【００１９】
後板部１１の外縁部には、前方に向かって立設された後部側壁部１２が設けられている。後部側壁部１２は、後板部１１の外縁部の全周にわたって設けられている。
【００２０】
図４は、図１のＡ−Ａ線断面図である。
図４に示すように、後部側壁部１２の前端部の外縁側には、後方に凹む段部１２ａが形成されている。段部１２ａは、後部側壁部１２の全周に形成されている。
【００２１】
図２に示すように、後板部１１には、前方に突出する固定筒状部１６が設けられている。固定筒状部１６は、前後方向を軸線方向とし、円筒状をなしている。後板部１１から固定筒状部１６に連通して、前後方向に貫通する貫通孔１６ｈが形成されている。固定筒状部１６は、後板部１１の四隅及び上部における左右方向の略中央に設けられている。
【００２２】
後板部１１には、前方に突出する係止筒状部１７が設けられている。係止筒状部１７は、前後方向を軸線方向とし、上下方向に長い筒状をなしている。後板部１１から係止筒状部１７に連通して、前後方向に貫通する貫通孔１７ｈが形成されている。係止筒状部１７は、後板部１１の四隅近傍に設けられている。詳細には、係止筒状部１７は、後板部１１の上部の隅部の固定筒状部１６よりも僅かに下方及び後板部１１の下部の隅部の固定筒状部１６よりも僅かに上方に設けられている。係止筒状部１７には、ブラケットＢの係止片ｂ１が係止可能とされている。
【００２３】
図３に示すように、後板部１１の下部には、電線引き込み開口１１ｈが形成されている。電線引き込み開口１１ｈには、後述するＶＶＦケーブルｃ１が挿通可能とされている。電線引き込み開口１１ｈには、後板部１１の後面から開閉自在な電源カバー１１ｋが設けられている。
【００２４】
後板部１１において、電線引き込み開口１１ｈよりも上方には、スイッチ用開口１１ｊが形成されている。スイッチ用開口１１ｊには、後板部１１の後面から開閉自在なスイッチカバー１１ｍが設けられている。
【００２５】
図２に示すように、アッパーケース２は、前部ケース本体２０を有している。前部ケース本体２０は、正面視矩形状に形成され、板厚方向を前後方向に向けた前板部２１を有している。
【００２６】
図２から図４に示すように、前板部２１は、ロアケース１の後板部１１の前方に配置されている。前板部２１とロアケース１の後板部１１との間は、後述する作動ランプ５０、センサーユニット６０、スピーカーユニット９０、第一基板５１、第二基板５２、端子ユニット８０及びスイッチ７０等を収容可能な収容空間Ｓとされている。
【００２７】
図２に示すように、前板部２１の前面（他方側の面）２１ｆの上下方向の中間部には、上壁部２２及び下壁部２３が形成されている。上壁部２２及び下壁部２３は、前板部２１の前面２１ｆから後方に向かって折曲されている。上壁部２２及び下壁部２３は、前板部２１の左右方向の全長に形成されている。上壁部２２は、下壁部２３よりも上方に配置されている。上壁部２２の後端部と下壁部２３の後端部とは、底壁部２４により接続されている。
【００２８】
これら上壁部２２、下壁部２３及び底壁部２４により、前板部２１の前面２１ｆから後方に凹む嵌合凹部２５が形成されている。嵌合凹部２５は、前板部２１の上下方向の略中央に形成されている。嵌合凹部２５は、前板部２１の左右方向全長にわたって形成されている。嵌合凹部２５は、正面視左右方向に長い矩形状をなしている。
【００２９】
嵌合凹部２５の底壁部２４には、スピーカー取付孔２４ｈ、ランプ取付孔２４ｊ及びセンサー取付孔２４ｋが形成されている。各取付孔２４ｈ，２４ｊ，２４ｋは、前板部２１（底壁部２４）を前後方向に貫通して形成されている。スピーカー取付孔２４ｈ、ランプ取付孔２４ｊ及びセンサー取付孔２４ｋは、正面視で右側から左側に向かってこの順で並んで配置されている。
【００３０】
スピーカー取付孔２４ｈは、正面視略円形状をなしている。スピーカー取付孔２４ｈの中心には、略円形状をなす中央接続部２６が設けられている。中央接続部２６には、上方、下方且つ左方、及び下方且つ右方のそれぞれに延びる接続片部２７が設けられている。３本の接続片部２７における中央接続部２６側と反対側の端部は、嵌合凹部２５の底壁部２４のスピーカー取付孔２４ｈの外縁部に接続されている。
【００３１】
ランプ取付孔２４ｊは、正面視略円形状をなしている。センサー取付孔２４ｋは、正面視矩形状をなしている。
【００３２】
前板部２１の外縁部には、後方に向かって立設された前部側壁部３２が設けられている。前部側壁部３２は、前板部２１の外縁部の全周にわたって設けられている。
【００３３】
図４に示すように、前部側壁部３２の後端部の外縁側には、後方に突出する突出壁部３２ａが形成されている。突出壁部３２ａはロアケース１の後部側壁部１２の段部１２ａに対向配置され、突出壁部３２ａと段部１２ａとは係合されている。これにより、アッパーケース２とロアケース１とは組み付けられ、上下方向及び左右方向の移動が規制されている。
【００３４】
図３に示すように、前板部２１の後面には、後方に突出する固定筒状部３６が設けられている。固定筒状部３６は、前後方向を軸線方向とし、円筒状をなしている。固定筒状部３６には、前後方向に延びる取付穴３６ｈが形成されている。取付穴３６ｈには、雌ネジ（不図示）が形成されている。固定筒状部３６はロアケース１の固定筒状部１６と対応する位置に設けられ、固定筒状部３６の取付穴３６ｈはロアケース１の固定筒状部１６の貫通孔１６ｈと連通している。ロアケース１の固定筒状部１６の貫通孔１６ｈに後方から挿通された螺子１６ｚが、アッパーケース２の固定筒状部３６の取付穴３６ｈに螺合されている。
【００３５】
前板部２１の後面には、後方に突出する係止筒状部３７が設けられている。係止筒状部３７は、前後方向を軸線方向とし、上下方向に長い筒状をなしている。係止筒状部３７には、前後方向に延びる取付穴３７ｈが形成されている。係止筒状部３７はロアケース１の係止筒状部１７と対応する位置に設けられ、係止筒状部３７の取付穴３７ｈはロアケース１の係止筒状部１７の貫通孔１７ｈと連通している。貫通孔１７ｈの上面には、下方に突出する突出片（不図示）が設けられている。貫通孔１７ｈに挿通されたブラケットＢの係止片ｂ１は、突出片に係止されている。詳細には、係止片ｂ１の下部は突出片の下方に配置され、係止片ｂ１の先端部は貫通孔１７ｈから取付穴３７ｈにまたがって突出片の前方に配置されている。
【００３６】
アッパーケース２には、機能部として、作動ランプ５０、第一基板５１、センサーユニット６０、スイッチ７０、第二基板５２、端子ユニット８０及びスピーカーユニット９０が取り付けられている。
【００３７】
作動ランプ５０は、アッパーケース２の後方から、ランプ取付孔２４ｊに設けられている。
【００３８】
第一基板５１は、アッパーケース２の後部に設けられている。第一基板５１の前面には、図２に示すセンサーユニット６０が設けられている。センサーユニット６０は、筐体６１と、筐体６１内に配置された３個の投光素子６６ａ，６６ｂ，６６ｃ及び受光素子６７とを有している。受光素子６７は、投光素子６６ａ，６６ｂ，６６ｃよりも上方に配置されている。センサーユニット６０は、アッパーケース２のセンサー取付孔２４ｋに、投光素子６６ａ，６６ｂ，６６ｃ及び受光素子６７が略前方を向くように配置されている。投光素子６６ａ，６６ｂ，６６ｃから光信号が送信され、光信号が対象物に当たって反射して、受光素子６７が反射信号を受信することにより、センサーユニット６０は対象物の存在の有無を検知している。
【００３９】
投光素子６６ａ，６６ｂ，６６ｃのうち、正面視で最も右側に配置された（操作情報４１に最も近い）投光素子６６ａは、操作情報４１の前方に向かって（前方に向かうにしたがって次第に右側に向かう方向に）光信号を送信して、操作情報４１の前方にかざされた手等を検知（指向）可能である。また、正面視で真ん中に配置された投光素子６６ｂ及び正面視で最も左側に配置された投光素子６６ｃは、それぞれ前方及び前方に向かうにしたがって次第に左側に向かう方向に向かって光信号を送信して、センサーユニット６０の前方にいる利用者を検知可能である。
【００４０】
図３に示すように、第一基板５１の後面には、スピーカーユニット９０から出力される擬音の音量等を調節可能なスイッチ７０が設けられている。スイッチ７０は、ロアケース１のスイッチ用開口１１ｊ内に配置されている。
【００４１】
第二基板５２は、アッパーケース２の後部に設けられている。第二基板５２の後面には、ＶＶＦケーブルｃ１が接続された端子ユニット８０が設けられている。端子ユニット８０は、ロアケース１の電線引き込み開口１１ｈ内に配置されている。
【００４２】
スピーカーユニット９０は、アッパーケース２の後部に設けられている。スピーカーユニット９０は、スピーカー本体９１と、スピーカー取付部９２と、を有している。スピーカー取付部９２は、図２に示すアッパーケース２のスピーカー孔４７に設けられた中央接続部２６及び接続片部２７に対応した形状をなしている。スピーカー本体９１は、アッパーケース２の後面とスピーカー取付部９２との間に挟み込まれている。スピーカー取付部９２は、アッパーケース２の前板部２１の後面から後方に突設された固定片２８に螺合されている。スピーカーユニット９０は、アッパーケース２に形成されたスピーカー取付孔２４ｈの位置に対応して、後方に配置されている。
【００４３】
センサーユニット６０が対象物の存在を検知すると、センサーユニット６０の受光素子６７からの検知信号が不図示の制御部に送信される。制御部は、検知信号を受信すると、スピーカーユニット９０に出力信号を送信する。スピーカーユニット９０は出力信号を受信すると、擬音を出力し、所定時間経過後に擬音は停止する。また、擬音の出力中に、センサーユニット６０が対象物の存在を検知すると、センサーユニット６０からの検知信号が不図示の制御部に送信される。制御部は、検知信号を受信すると、スピーカーユニット９０に停止信号を送信する。スピーカーユニット９０は停止信号を受信すると、擬音の出力を停止する。
【００４４】
図１に示すように、フロントパネル４は、アッパーケース２の嵌合凹部（前面）２５に沿って、嵌合凹部２５に沿う左右方向にわたって配置されている。フロントパネル４は、板状をなし、正面視矩形状に形成され、板厚方向を前後方向に向けて配置されている。フロントパネル４は、アッパーケース２の嵌合凹部２５と対応した形状をなしている。換言すると、フロントパネル４の上下方向の長さは、嵌合凹部２５の上壁部２２から下壁部２３までの長さと略同一である。フロントパネル４の左右方向の長さは、嵌合凹部２５の左右方向の長さ（アッパーケース２の前板部２１の左右方向の長さ）と略同一である。フロントパネル４の厚みは、嵌合凹部２５の深さ（前後方向の長さ）と略同一である。擬音装置１００を正面視して（アッパーケース２及びフロントパネル４と対向する方向から見て）、フロントパネル４の右端部４ｃ及び左端部４ｄは、アッパーケース２の右端部３２ｃ及び左端部４ｄとそれぞれ重なって配置されている。フロントパネル４の右端部４ｃの右端部４ｃの端面及び左端部４ｄの端面は、それぞれアッパーケース２に覆われずに露出している。
【００４５】
図４に示すように、フロントパネル４は、嵌合凹部２５に嵌合されている。本実施形態では、フロントパネル４は、後面に貼着された両面テープ（不図示）により、アッパーケース２の嵌合凹部２５の底壁部２４に取り付けられている。
【００４６】
フロントパネル４の前面４ｆは、アッパーケース２の前面２１ｆと略同一平面上に配置されている。詳細には、フロントパネル４の前面４ｆは、アッパーケース２の前面２１ｆよりも僅かに後方に配置されている。
【００４７】
図２に示すように、フロントパネル４の左右方向の略中央には、操作方法を示す操作情報４１が設けられている。換言すると、図１に示すように、操作情報４１は、正面視でセンサーユニット６０と隣り合いつつ、センサーユニット６０の右側に配置されている。本実施形態では、操作情報４１として、手を示すピクトグラム（絵文字）及び「再生／停止」、「ＰＬＡＹ／ＳＴＯＰ」と記載された文字が示されている。なお、操作情報４１は、ピクトグラムのみ又は文字のみであってもよい。
【００４８】
図２に示すように、フロントパネル４において、操作情報４１の上方には、後述する作動ランプ５０の光が透過可能なランプ透過部４２が設けられている。ランプ透過部４２は、作動ランプ５０と対応する位置に設けられている。
【００４９】
フロントパネル４の右側には、スピーカー孔４７及びダミー穴４６が、上下方向に間隔を有して配置された列をなすととともに、当該列が左右方向に間隔を有して複数列配置されている。全体として、正面視略矩形となるように配列され、スピーカー領域Ｘが形成されている。
【００５０】
スピーカー領域Ｘのうち、四隅に、複数のダミー穴４６が形成されている。ダミー穴４６は、フロントパネル４の板厚方向に貫通されていない穴である。本実施形態では、ダミー穴４６は、フロントパネル４の前面４ｆから後方に凹む形状をなしている。
【００５１】
スピーカー領域Ｘのうち、ダミー穴４６以外の箇所に、板厚方向に貫通された複数のスピーカー孔４７が形成されている。スピーカー孔４７は、アッパーケース２のスピーカー取付孔２４ｈと対応した位置に形成されている。
【００５２】
フロントパネル４の左側は、後述するセンサーユニット６０の投光素子６６ａ，６６ｂ，６６ｃが拡散可能なセンサー領域Ｙとされている。センサー領域Ｙは、センサーユニット６０と対応する位置に設けられている。
【００５３】
図３に示すように、フロントパネル４のセンサー領域Ｙの後面（一方側の面）４ｂには、投光素子６６ａ，６６ｂ，６６ｃと受光素子６７との間の高さ位置に、溝部４ｊが形成されている。溝部４ｊは、後面４ｂから前方に凹むとともに、左右方向に延びている。
【００５４】
本実施形態では、フロントパネル４は、透明のアクリル樹脂で成型された後、センサー領域Ｙに溝部４ｊを形成する。次いで、フロントパネル４の後面４ｂから操作情報４１を印刷する。次いで、センサー領域Ｙ及びランプ透過部４２をマスキングして、後面４ｂから黒色印刷をする。次いで、ランプ透過部４２に、後面４ｂから光を拡散させる印刷をする。次いで、センサー領域Ｙの後面４ｂに、可視光カットのフィルター（不図示）を設けている。
【００５５】
次に、上記の擬音装置１００の壁への取付方法を説明する。
まず、螺子（不図示）をブラケットＢの取付孔ｂ２（図２参照）に挿通して、壁に螺子止めしておく。壁内のＶＶＦケーブルｃ１をロアケース１の電線引き込み開口１１ｈから引き込み、端子ユニット８０に接続する。電線引き込み開口１１ｈを、電源カバー１１ｋで閉塞する。この際に、スイッチ７０を操作して、擬音の音量等を調整しておく。
【００５６】
次に、螺子１６ｚをロアケース１の固定筒状部１６に挿通して、フロントパネル４が固定されたアッパーケース２の固定筒状部３６に螺合して、アッパーケース２とロアケース１とを一体にしておく。
【００５７】
次に、ブラケットＢの係止片ｂ１を、ロアケース１の係止筒状部１７に係止させる。これにより、擬音装置１００がブラケットＢを介して壁に取り付けられる。
【００５８】
上記の擬音装置１００では、利用者が操作情報４１の前方に手をかざすと、投光素子６６ａから送信された光信号が、手（対象物）に当たって反射して、受光素子６７が反射信号を受信する。受光素子６７は、反射信号に基づいて検知信号を制御部に送信する。制御部は、出力信号をスピーカーユニット９０に送信する。スピーカーユニット９０は、出力信号に基づいて擬音を出力し、所定時間経過後に擬音は停止する。
また、擬音の出力中に、利用者が操作情報４１の前方に手をかざすと、上記と同様に、投光素子６６ａから送信された光信号が手に当たって反射して、受光素子６７が反射信号を受信する。センサーユニット６０は、反射信号に基づいて検知信号を制御部に送信する。制御部は、停止信号をスピーカーユニット９０に送信する。スピーカーユニット９０は、停止信号に基づいて擬音の出力を停止する。
また、制御部は検知信号を受信すると、作動ランプ５０にランプ出力信号を送信する。作動ランプ５０は、ランプ出力信号を受信するとランプを点灯させ、所定時間経過後にランプは消灯する。
また、擬音装置１００の前方に利用者がいる場合、投光素子６６ｂ，６６ｃから送信された光信号が、利用者に当たって反射して、受光素子６７が反射信号を受信する。受光素子６７は、反射信号に基づいて検知信号を制御部に送信する。制御部は、出力信号をスピーカーユニット９０に送信する。スピーカーユニット９０は、出力信号に基づいて擬音を出力し、所定時間経過後に擬音は停止する。
【００５９】
このように構成された擬音装置１００では、フロントパネル４は、アッパーケース２の前面２１ｆに沿って前面２１ｆに沿う左右方向にわたって配置されている。つまり、フロントパネル４の外周のうち左右方向と交差する方向（上下方向）、つまりフロントパネル４に右側及び左側には、アッパーケース２が配置されない。よって、フロントパネル４の正面視で右側及び左側には、アッパーケース２との間に隙間が形成されてないため、フロントパネル４の右側及び左側から埃等が作動ランプ５０、第一基板５１、センサーユニット６０、スイッチ７０、第二基板５２、端子ユニット８０及びスピーカーユニット９０等が収容された収容空間Ｓに侵入することがなく、埃等の内部への侵入を抑制することができる。
【００６０】
また、フロントパネル４はアッパーケース２の前面４１ｆに沿う左右方向にわたって配置されているため、フロントパネル４は左右方向に連続性があり、外観を良好とすることができる。
【００６１】
また、フロントパネル４は後面４ｂが着色印刷されているため、前面４ｆには印刷面が露出せず高級感を呈することができるとともに、印刷面が剥がれることが抑制される。
【００６２】
また、フロントパネル４には、スピーカー本体９１に対応する位置に、前後方向に貫通する複数のスピーカー孔４７が形成されている。よって、アッパーケース２にスピーカー孔を形成する必要がなく、アッパーケース２の加工が容易である。
【００６３】
また、フロントパネル４は、アッパーケース２の前面から後方に向かって凹み一方向に延びる嵌合凹部２５に嵌合されている。よって、フロントパネル４の外周から収容空間Ｓに連通される隙間がないため、埃等が収容空間Ｓに侵入することがより一層抑制される。
【００６４】
次に、本発明の一実施形態の変形例について、主に図５から図８を用いて説明する。
なお、以下の説明において、前述した部材と同一の部材には同一の符号を付して、その説明を省略する。
図５は、本発明の一実施形態の変形例に係る洗浄スイッチ装置を斜め前方から見た斜視図である。図６は、本発明の一実施形態の変形例に係る洗浄スイッチ装置を上方から見た図である。図７は、本発明の一実施形態の変形例に係る洗浄スイッチ装置の上部パネルを取り外して上方から見た図である。
図５から図８に示す本変形例に係る洗浄装置は、トイレを洗浄するスイッチである洗浄スイッチ装置である。洗浄スイッチ装置２００は、下部ケース体２０１と、下部ケース体２０１の上方に設けられる上部ケース体２０２と、上部ケース体２０２の上面に設けられる上部パネル（機能パネル）２０４と、を有している。
【００６５】
図５に示すように、下部ケース体２０１は、略水平面に沿って配置される底壁部（第二カバー）２１１と、底壁部２１１の左右両端部から上方に立設された立設壁部２１２と、を有している。
【００６６】
上部ケース体２０２は、略水平面に沿って配置される上面部（第一カバー）２２１と、上面部２２１の外縁から下方に延びる側部カバー部２２２と、を有している。
【００６７】
図７に示すように、上面部２２１には、板状に形成され、板厚方向を上下方向に向けて配置されている。上面部２２１は、上面部２２１を正面視して（上方から見て）略矩形状に形成されるとともに、四隅部が円弧状に形成されている。
【００６８】
上面部２２１には、上下方向に貫通するセンサー取付孔２２１ｈが形成されている。センサー取付孔２２１ｈは、上面部２２１の前後方向（図７に示す紙面上下方向）の略中央に配置されている。上面部２２１には、下方に凹む嵌合溝２２６が形成されている。
【００６９】
側部カバー部２２２は、上面部２２１の四周に形成されている。図５に示すように、側部カバー部２２２のうち前側（利用者側）には、前後方向に貫通する人体センサー取付孔２２２ｈが形成されている。人体センサー取付孔２２２ｈは、閉塞板２２３で閉塞されている。
【００７０】
下部ケース体２０１と、上部ケース体２０２とで形成された収容空間Ｓ１には、センサーユニット２６０（図７参照）、制御部（不図示）、洗浄機構（不図示）等の機能部が収容されている。
【００７１】
図７に示すように、センサーユニット２６０は、上面部２２１を正面視して、上面部２２１のセンサー取付孔２２１ｈに配置されている。センサーユニット２６０は、筐体２６１と、筐体２６１内に配置された投光素子２６６及び受光素子２６７とを有している。投光素子２６６は、受光素子２６７よりも前方（利用者側）に配置されている。
【００７２】
図６に示すように、投光素子２６６は、後述する上部パネル２０４の操作情報２４１の上方に向かって配置されている。投光素子２６６は、操作情報２４１の上方に向かって光信号を送信して、操作情報２４１の上方にかざされた手等を検知（指向）可能である。受光素子２６７は、操作情報２４１の上方に向かって配置されている。受光素子２６７は、操作情報２４１の上方にかざされた手で反射された反射信号を受信可能である。
【００７３】
図５に示すように、収容空間Ｓ内には、上部ケース体２０２の閉塞板２２３と対応する位置に、人体センサー用の投光素子及び受光素子（不図示）が設けられている。
【００７４】
上部パネル２０４は、板状に形成され、板厚方向を上下方向に向けて配置されている。上部パネル２０４を正面視して、上部パネル２０４は、上部ケース体２０２の上面部２２１と略同一形状に形成されている。上部パネル２０４の上下方向及び左右方向の長さは、上面部２２１の上下方向及び左右方向の長さと略同一である。洗浄スイッチ装置２００を正面視して（上部パネル２０４及び上面部２２１と対向する方向から見て）、上部パネル２０４の外縁部（端部）（図６参照）２０４ａは、上面部２２１の外縁部（端部）２２１ａ（図７参照）と重なって配置されている。上部パネル２０４の外縁部２０４ａは、上面部２２１に覆われずに露出している。
【００７５】
上部パネル２０４の下面には、上部ケース体２０２の上面部２２１の嵌合溝２２６（図７参照）に対応する形状の嵌合突起（不図示）が設けられている。嵌合突起が嵌合溝２２６に嵌合されることで、上部パネル２０４は、上部ケース体２０２の上面部２２１の上面に取り付けられている。なお、上部パネル２０４の下面に両面テープ（不図示）を貼着して、上面部２２１に取り付けられていてもよい。
【００７６】
図６に示すように、上部パネル２０４のうち、正面視でセンサーユニット２６０と対応する位置は、センサーユニット２６０の投光素子２６６が拡散可能なセンサー領域Ｙ１とされている。
【００７７】
上部パネル２０４の左右方向の略中央には、対象物を所定の位置に案内させる操作情報２４１が設けられている。換言すると、操作情報２４１は、正面視でセンサーユニット２６０と隣り合いつつ、センサーユニット２６０の右側に配置されている。本実施形態では、操作情報２４１として、水の流れ（渦巻き）を示すピクトグラム（絵文字）及び「手をかざしてください」、「Ｐｌａｃｅ  ｙｏｕｒ  ｈａｎｄ  ｏｖｅｒ  ｔｈｅ  ｓｅｎｓｏｒ.」と記載された文字が示されている。また、これらの操作情報２４１の後方（図６の紙面上方）には、「流す」、「Ｆｌｕｓｈ」の文字が記載されている。
【００７８】
上記の洗浄スイッチ装置２００では、利用者が操作情報２４１の上方に手をかざすと、投光素子２６６から送信された光信号が、手（対象物）に当たって反射して、受光素子２６７が反射信号を受信する。受光素子２６７は、反射信号に基づいて検知信号を制御部に送信する。制御部は、出力信号を洗浄機構に送信する。洗浄機構は、出力信号に基づいてポンプ等を作動させ、洗浄水を流出する。
また、利用者が退出すると、人体センサー用の投光素子から送信された光信号が、利用者に当たって反射して、人体センサー用の受光素子が反射信号を受信する。人体センサー用の受光素子は、反射信号に基づいて検知信号を制御部に送信する。制御部は、出力信号を洗浄機構に送信する。洗浄機構は、出力信号に基づいてポンプ等を作動させ、洗浄水を流出する。
【００７９】
このように構成された洗浄スイッチ装置２００では、上部パネル２０４は、上部ケース体２０２の上面部２２１の上面の全面にわたって配置されている。よって、上部パネル２０４を正面視（上方から見て）外周全域には、上部ケース体２０２との間に隙間が形成されてないため、外周全域から、センサーユニット２６０や制御部や洗浄機構等の機能部が収容された収容空間Ｓ１に埃等が侵入することがなく、埃等の内部への侵入を抑制することができる。
【００８０】
また、上部パネル２０４は上部ケース体２０２の上面部２２１の上面の全面にわたって配置されているため、スマートな外観を呈することができる。
【００８１】
なお、上述した実施の形態において示した各構成部材の諸形状や組み合わせ等は一例であって、本発明の主旨から逸脱しない範囲において設計要求等に基づき種々変更可能である。
【００８２】
例えば、上記に示す実施形態では、設備装置の一例として擬音装置１００や洗浄スイッチ装置２００を例に挙げて説明したが、本発明はこれに限られず、他の設備装置にも適用可能である。
【００８３】
また、上記に示す実施形態では、壁面にブラケットＢが設けられ、ブラケットＢに擬音装置１００が取り付けられ、ＶＶＦケーブルｃ１から動力が供給される形態の擬音装置１００を例に挙げて説明したが、本発明はこれに限られない。壁面にブラケットが設けられ、ブラケットに擬音装置が取り付けられ、擬音装置の内部に設けられた電池から動力が供給される所謂電池式の擬音装置であってもよい。あるいは、壁に設けられた貫通孔に四方枠状に形成されたブラケットが配置され、ブラケットの内部にロアケースが納められた所謂埋め込み式の擬音装置１００であってもよい。
【００８４】
また、上記に示す実施形態では、フロントパネル４は、アッパーケース２の左右方向にわたって配置されているが、本発明はこれに限られない。機能パネルは、第一カバーの他方側の面に沿う少なくとも一方向に沿って配置されて配置されていればよく、例えばアッパーケース２の上下方向にわたって配置されていてもよい。また、第一カバーの嵌合凹部は、機能パネルが配置される方向と同一の方向に延びるように形成されていればよい。
【００８５】
また、上記に示す実施形態では、フロントパネル４は、透明のアクリル樹脂に後面４ｂから黒色に印刷がされるとともに、可視光カットのフィルターが設けられているが、本発明はこれに限られない。例えば、赤外線透過樹脂を用いて機能パネルを材着で成形して、ピクトグラム等を機能パネルの表面から印刷する構成であってもよい。あるいは、機能パネルを赤外線透過塗料の黒色で印刷して構成してもよい。
【符号の説明】
【００８６】
１…ロアケース（第二カバー）
２…アッパーケース（第一カバー）
４…フロントパネル（機能パネル）
２５…嵌合凹部
４１…操作情報
４６…ダミー穴
４７…スピーカー孔
５０…作動ランプ（機能部）
５１…第一基板（機能部）
５２…第二基板（機能部）
６０，２６０…センサーユニット（機能部）
６６ａ，６６ｂ，６６ｃ…投光素子
６７…受光素子
７０…スイッチ（機能部）
８０…端子ユニット（機能部）
９０…スピーカーユニット（機能部）
９１…スピーカー本体
１００…擬音装置（設備装置）
２００…洗浄スイッチ装置（設備装置）
２０４…上部パネル（機能パネル）
２１１…底壁部（第二カバー）
２２１…上面部（第一カバー）
Ｂ…ブラケット
Ｓ，Ｓ１…収容空間
Ｘ…スピーカー領域
Ｙ，Ｙ１…センサー領域
【図１】
2019052494.tif 000003
【図２】
2019052494.tif 000004
【図３】
2019052494.tif 000005
【図４】
2019052494.tif 000006
【図５】
2019052494.tif 000007
【図６】
2019052494.tif 000008
【図７】
2019052494.tif 000009